(57)【特許請求の範囲】
【請求項１】
椅子本体の両肘掛部の上面適所に人体手部を各々載脱自在でこれらに空圧施療を付与し得るよう、椅子本体の両肘掛部に膨縮袋を各々配設し、且つ各膨縮袋に圧縮空気給排装置からの給排気を伝達するホースを各々連通状に介設してなる圧縮空気給排気手段を具備させた手揉機能付用施療機であって、該手揉機能付用施療機の各肘掛部は、肘幅方向外側に弧状形成された立上り壁を立設して、肘掛部の上面をこの弧状の立上り壁で覆って人体手部の外面形状に沿う形状の肘掛部に各々形成されており、且つ、前記立上り壁の内側部には膨縮袋を配設して、肘掛部上に人体手部を安定的に保持させて、立上り壁内側部に配設された膨縮袋と肘掛部の上面間で人体手部に空圧施療を付与させるようにした事を特徴とする手揉機能付施療機。
【請求項２】
椅子本体の両肘掛部の上面適所に人体手部を各々載脱自在でこれらに空圧施療を付与し得るよう、椅子本体の両肘掛部に膨縮袋を各々配設し、且つ各膨縮袋に圧縮空気給排装置からの給排気を伝達するホースを各々連通状に介設してなる圧縮空気給排気手段を具備させた手揉機能付用施療機であって、該手揉機能付用施療機の各肘掛部は、肘幅方向外側に弧状形成された立上り壁を立設して、肘掛部の上面をこの弧状の立上り壁で覆って人体手部の外面形状に沿う形状の肘掛部に各々形成されており、且つ、前記立上り壁の内側部と肘幅方向内側底部とに各々膨縮袋を対設して、肘掛部上に人体手部を安定的に保持させて、立上り壁内側部と肘掛部の内側底部間に対設された膨縮袋間で人体手部に空圧施療を付与させるようにした事を特徴とする手揉機能付施療機。
【請求項３】
前記両肘掛部に配設される膨縮袋が、二以上の膨縮袋を重合させた膨縮袋群である事を特徴とする請求項１又は請求項２記載の手揉機能付施療機。
【請求項４】
前記両肘掛部に配設される膨縮袋の人体手部当接側に、膨縮施療を強度に付与し得る施療突起を配設した事を特徴とする請求項１乃至請求項３記載の手揉機能付施療機。
【請求項５】
前記両肘掛部の適所に、両肘掛部上面を振動させるに振動部材を配備させた事を特徴とする請求項１乃至請求項２記載の手揉機能付施療機。
【請求項６】
前記肘掛部の人体手部指先対応位置或いは指先近郊の上面適所に、圧縮空気給排装置に接続される外部電源を配備させた事を特徴とする請求項１又は請求項２記載の手揉機能付施療機。
【発明の詳細な説明】
【０００１】
【産業上の利用分野】
本発明は、圧縮空気の給排に応じて膨脹・収縮する膨縮機構によって、施療者の手部に断続的に圧迫を加えて施療を行なう機構を備えた手揉機能付施療機に関するものである。
【０００２】
【従来の技術】
従来の椅子式マッサージ機は、例えば、空気圧利用式のものにおいては、リクライニング可能な背凭れ部に、人体の腰部や背部や頸部をマッサージする為に、空気圧変化によって膨脹・収縮する袋体を内装し、また、座部に、臀部や大腿部をマッサージする為の前記同様の袋体を、内装して構成したものが一般的に知られている。
【０００３】
また、近年においては、前記のような構成に加えて、脚部をマッサージする為の上記同様の袋体を内装した出没可能な脚載せ部を設けて構成した椅子式空気圧マッサージ機も周知のものとなっている。
【０００４】
上記のような椅子式空気圧マッサージ機においては、上記人体各部位に対応するように配設された各々の袋体に空気の吸排気を行わせるよう、これにホースを介して圧縮空気給排装置を連通させる必要がある。
【０００５】
またこの圧縮空気給排装置は、例えば座部の下などに内装されるよう設置されるのであるが、該給排装置から給排される圧縮空気は、前記ホースを介して袋体を膨脹及び収縮させ、上記人体各部位を断続的に圧迫してマッサージを行なうことができ、揉み玉やローラー等によるマッサージに比較して、摩擦の少ないマッサージができるようにしている。
【０００６】
また、上記椅子式空気圧マッサージ機を採用した椅子の、背凭れ部にリクライニング機構を設け、脚載せ部に出没機構を設けることにより、使用者の身体を略水平な状態にでき、この状態で空気圧マッサージを行えるため、比較的快適な状態でのマッサージを行う事ができる。
【発明が解決しようとする課題】
【０００７】
この種従来の椅子式空気圧マッサージ機においては、空気圧変化によって膨脹及び収縮する袋体を背凭れ部や座部の他、他部位に亘って配設させることができ、これら各袋体に空気を給排気させて、それぞれ、人体の、腰部や背部の他、頸部や臀部或は大腿部や脚部に適度な空気圧マッサージを施す事ができるのであるが、人体の局部における、特に手部に対する空気圧マッサージを施す事ができず、またこのような手部を専門的にマッサージできるような局部専用マッサージ機も開発されていないのが現状である。
【０００８】
本発明は、上記のような問題点に鑑みてなされたものであり、手部及び腕部を安定的に載設して、手部や腕部に対する効果的な空圧施療を行える手揉機能付施療機を提供する事を目的としてなされたものである。
【０００９】
【課題を解決するための手段】
すなわち、本発明の手揉機能付施療機は、椅子本体の両肘掛部の上面適所に人体手部を各々載脱自在でこれらに空圧施療を付与し得るよう、椅子本体の両肘掛部に一定間隔を存して一対の膨縮袋を各々対設し、且つ各膨縮袋に圧縮空気給排装置からの給排気を伝達するホースを各々連通状に介設してなる圧縮空気給排気手段を具備させた手揉機能付用施療機であって、該手揉機能付用施療機の各肘掛部は、肘幅方向外側に弧状形成された立上り壁を立設して、肘掛部の上面をこの弧状の立上り壁で覆って人体手部の外面形状に沿う形状の肘掛部に各々形成されており、且つ、前記立上り壁の内側部には膨縮袋を配設して、人体手部を両肘掛部上面に安定的に保持させて手部に効率良い空圧施療を行なわせる事ができるようにする事を特徴とするものである。
【００１０】
また本発明の手揉機能付施療機は、前記圧縮空気給排気手段を、両肘掛部の各立上り壁に配設される膨縮袋と、各膨縮袋に各々ホースを介して連通される圧縮空気給排装置とで構成し、肘掛部の人体手部指先対応位置或いは指先近郊の上面適所に、圧縮空気給排装置に接続される外部電源を配備させて、人体手部を両肘掛部上面に安定的に保持させて立上り壁側の膨縮袋により手部側方を効率良く空圧施療を行なわせる事ができるようにした事を特徴とするものである。
【００１１】
更に本発明の手揉機能付施療機は、椅子本体の両肘掛部の上面適所に人体手部を各々載脱自在でこれらに空圧施療を付与し得るよう、椅子本体の両肘掛部に一定間隔を存して一対の膨縮袋を各々対設し、且つ各膨縮袋に圧縮空気給排装置からの給排気を伝達するホースを各々連通状に介設してなる圧縮空気給排気手段を具備させた手揉機能付用施療機であって、該手揉機能付用施療機の各肘掛部は、肘幅方向外側に弧状形成された立上り壁を立設して、肘掛部の上面をこの弧状の立上り壁で覆って人体手部の外面形状に沿う形状の肘掛部に各々形成されており、且つ、前記立上り壁の内側部と肘幅方向内側底部とに各々膨縮袋を対設して、構成し、人体手部を両肘掛部上面に安定的に保持させて立上り壁側の膨縮袋と肘幅方向内側底部に配設される膨縮袋により、手部両側を挟持して効率良く空圧施療を行なわせる事ができるようにした事を特徴とするものである。
【００１２】
更にまた本発明の手揉機能付施療機は、前記両肘掛部に配設される膨縮袋が、二以上の膨縮袋を重合させた膨縮袋群に構成し、手部に強度な空圧施療を効率良く行なわせる事ができるようにした事を特徴とする。
【００１３】
また、本発明の手揉機能付施療機は、前記両肘掛部に配設される膨縮袋の人体手部当接側に施療突起を配設し、手部に強度な空圧施療を適格に付与する事ができるように構成した事を特徴とするものでもある。
【００１４】
更に本発明の手揉機能付施療機は、前記両肘掛部上面を振動させるに振動部材を適所に配備させ、手部に振動部材による振動施療と膨縮袋による圧空施療とを同時或いは単独で任意に行なわせる事ができるよう構成した事を特徴とする。
【００１５】
よって、本発明の手揉機能付施療機は、上記のように構成することにより次のような作用をもたらす。
先ず、本発明の手揉機能付施療機においては、肘幅方向一側の肘幅方向外側に弧状形成された立上り壁を設け、肘掛部の上面をこの弧状の立上り壁で覆って人体手部の外面形状に沿う形状の肘掛部に各々形成された肘掛部を両側に設けた椅子本体の上面適所に、人体手部を各々載脱自在で該人体手部に膨縮施療を付与し得る圧縮空気給排気手段を配設している為、施療者は着座状態で人体手部を両肘掛部上面に安定的に保持させて、人体手部及び腕部の上側面から効率良く空圧施療する事ができる。
【００１６】
また、本発明の手揉機能付施療機は、圧縮空気給排気手段を、両肘掛部の肘幅方向外側に立設された弧状の立上り壁と、これに配設される膨縮袋と、各膨縮袋に各々ホースを介して連通される圧縮空気給排装置とで構成している為、立上り壁側の膨縮袋により人体手部及び腕部を上側面から効率良く空圧施療を行なわせる事ができる。
【００１７】
更に本発明の手揉機能付施療機は、前記圧縮空気給排気手段を、両肘掛部の肘幅方向外側に立設された弧状の各立上り壁に配設される膨縮袋及び肘幅方向内側底部に配設される膨縮袋と、両各膨縮袋に各々ホースを介して連通される圧縮空気給排装置とで構成している為、人体手部を立上り壁側の膨縮袋と肘幅方向内側底部に配設される膨縮袋により両側から挟持して、人体手部及び腕部を上側面と内側底面下部から効率良く空圧施療・空圧挟持施療・空圧押上施療を行なわせる事ができる。
【００１８】
更に、本発明の手揉機能付施療機は、両肘掛部に配設される膨縮袋が、二以上の膨縮袋を重合させた膨縮袋群に構成している為、人体手部及び腕部を膨縮袋群の膨縮袋で順次相乗的に挟持して強度で圧迫感のある空圧施療を効率良く行なわせる事ができるのである。
【００１９】
また、本発明の手揉機能付施療機は、前記両肘掛部に配設される膨縮袋の人体手部当接側に施療突起を配設している為、膨縮袋の人体手部当接側が膨張した場合にこの施療突起が該手部や腕部に当接し、これによる強度な空圧施療を適格に付与する事ができる。
【００２０】
更に本発明の手揉機能付施療機は、前記両肘掛部上面を振動させるに振動部材を適所に配備させている為、施療者が膨縮袋の膨縮動作や振動部材の振動動作を任意に選択して、これらを同時或いは単独で作動させる事で、人体手部や腕部に振動部材による振動施療と膨縮袋による圧空施療と、これら両者による振動空圧施療を適宜に選択実施させる事ができる。
【００２１】
【発明の実施の態様】
以下、本発明の手揉機能付施療機を、図面に示す一実施形態に基づいてこれを詳細に説明する。
図１は、本発明の手揉機能付施療機の一実施形態を示す説明図であり、図２は本発明の手揉機能付施療機における圧縮空気給排気手段の膨縮袋が収縮した一実施形態を示す説明図であり、図３は本発明の手揉機能付施療機における圧縮空気給排気手段の膨縮袋が膨張した一実施形態を示す説明図であり、図４乃至図９は本発明の手揉機能付施療機における圧縮空気給排気手段を備えた肘掛部の一実施形態を示す説明図であり、図１０は本発明の手揉機能付施療機の一実施形態を示す説明図であり、図１１は本発明の手揉機能付施療機の一実施形態を示す斜視図であり、図１２及び図１３は本発明の手揉機能付施療機の一実施形態を示す使用状態図である。
【００２２】
すなわち、本発明の手揉機能付施療機１は、図１０及び図１１に示したように、肘幅方向外側（肘幅方向一側）に弧状形成された立上り壁２１１を設けた肘掛部２１を椅子本体２の両側に設けており、その肘掛部２１の上面に人体手部３を各々載脱自在で該人体手部２に膨縮施療を付与し得るよう、圧縮空気給排気手段（膨縮袋１２と、各膨縮袋１２・１２に各々ホース１３・１３を介して連通される圧縮空気給排装置１４）を配設して成り、施療者が着座状態で人体手部３を両肘掛部２１・２１上面に安定的に保持させて、人体手部３及び腕部の上側面から効率良く空圧施療する事ができるよう構成したものである。
【００２３】
また、前記手揉機能付施療機１は、図１に示したように、椅子本体２の両肘掛部２１・２１の上面適所に固定板１１を配設し、該固定板１１の上部左右の少なくとも一側に膨縮袋１２を配設し、要すれば、該固定板１１の上部左右に一定間隔を存して膨縮袋１２・１２を対設して、これらを各肘掛部２１の内部に内装しており、且つ、椅子本体２の座部下部に外部電源（図示せず）に接続される圧縮空気給排装置１４を配設し、該装置１４と各膨縮袋１２・１２間に各々ホース１３・１３を介設して、圧縮空気給排装置１４からの給排気をホース１３・１３を介して各膨縮袋１２・１２に連繋させ、各膨縮袋１２・１２を所定の時間毎のサイクルで繰り返し膨縮させる事ができるようにしている。
【００２４】
そして、前記図１で示した固定板１１の一側を弧状に曲折して肘掛部２１の上面をこの弧状の立上り壁２１１で覆って人体手部の外面形状に沿う形状の空間部を有する釣針形状に立設させた状態にして、これを肘掛部２１に内装させる事で、図１０及び図１１のような外形状に形成できるものであり、このような状態にする事で施療者は図１２及び図１３に示したような着座状態で両肘掛部２１・２１上の人体手部３をその上側面から空圧施療行なうようにする事ができるのである。
【００２５】
また、前記椅子本体２の両肘掛部２１・２１の上面適所に配設される膨縮袋１２は、前述したように、弧状に曲折した固定板１１の上部左右の少なくとも曲折側一側（立上り壁の内側部）に膨縮袋１２を配設すれば良いが、該固定板１１の上部左右に一定間隔を存して一対の膨縮袋１２・１２を対設させたり、図２及び図３に示したように、固定板１１の上部左右に一定間隔を存して重合状に膨縮袋１２・１２・１２・１２（膨縮袋群）を夫々対設させたりする事で、これらに圧縮空気給排気装置１４からの圧空を給排気させて膨縮させ、使用者の人体手部３及び腕部を一側上面側と他側下部側の両側から順次挟持して、圧迫感のある施療を実施する事ができるようになる。
【００２６】
図４乃至図６は、前記肘幅方向外側に弧状形成された立上り壁２１１を設けた肘掛部２１の一実施形態を示すものであり、上記したように椅子本体２に配設された立上り壁２１１内に、該立上り壁２１１を有する肘掛部２１の上面形状に沿設するよう弧状曲折された固定板１１と該固定板１１の立上り壁２１１内側部に固定配備された膨縮袋１２を内装し、該膨縮袋１２には圧縮空気給排装置１４からの圧空を給排気させる為のホース１３が連通状に介設されている。
【００２７】
また、図７乃至図９は、前記肘幅方向外側に弧状形成された立上り壁２１１を設けた肘掛部２１の他の実施形態を示すものであり、上記したように椅子本体２に配設された立上り壁２１１内に、該立上り壁２１１を有する肘掛部２１の上面形状に沿設するよう弧状曲折された固定板１１と該固定板１１の立上り壁２１１内側部に固定配備された膨縮袋１２及び肘掛部２１の肘幅方向内側底部に配設される膨縮袋１２とを内装し、両各膨縮袋１２・１２には圧縮空気給排装置１４からの圧空を給排気させる為のホース１３が各々連通状に介設されている。
【００２８】
尚、前記固定板１１は、膨縮袋１２を配設する際に肘掛部２１上面に安定した状態で固定配備させる為のものであるが、その配置場所が安定している場合にはこれを設ける必要はない。
【００２９】
また図４乃至図９における１５は、前記肘掛部２１上面を振動させる為の振動部材であり、図面においては。肘掛部２１の中間部に配設したものを例示した。
【００３０】
該振動部材１５は、肘掛部２１上面を振動させるものであれば錘部材を駆動モータに偏心状に設けたものや電磁式のもの等のどのようなものであっても良く、また、その取付位置も適宜に決定される。
【００３１】
上記した振動部材１５を設けた場合には、施療者が膨縮袋１２の膨縮動作や振動部材１５の振動動作を任意に選択する事により、これらを同時或いは単独で作動させる事ができ、具体的には、振動部材１５による振動施療と膨縮袋１２による圧空施療と、これら両者による振動空圧施療を施療者の人体手部３や腕部に適宜に選択実施させる事ができる。
【００３２】
２２は、圧縮空気給排装置１４に接続されるリモコンスイッチ等の外部電源であり、図１３ではこの外部電源２２を一側の肘掛部２１内側に配設した場合を例示しているが、施療者に容易で安全な電源切替を行なわせる事ができるようにする為に、肘掛部２１上面適所或いは肘掛部２１の人体手部３指先位置対応位置やその近郊に配備させる事が好ましい。
【００３３】
尚、前記膨縮袋１２は、弾性を有し、空気漏れ防止に有効なポリウレタン等の素材や膨らみ過ぎ防止に有効な６ーナイロン等の合成繊維で袋状に構成されるものであり、例えば、内層の素材に空気漏れ防止に有効なポリウレタン等の合成繊維を使用し、また、外層の素材に膨らみ過ぎ防止に有効な６ーナイロン等の合成繊維を用いて、内外二層を有する袋体としても良い。
【００３４】
１２ａは、前記膨縮袋１２の上面部に配設された施療突起であり、該施療突起１２ａを配備させる事で、膨縮袋１２の人体手部３当接側が膨張した場合にこの施療突起１２ａが該手部３や腕部に当接し、これによる強度な空圧施療を適格に付与する事ができるようになる。
【００３５】
尚、該施療突起１２ａは、施療袋１２上面に一定間隔毎に配備してもよく、また不規則的に設けてもよく、更にその形状や構成も限定されるものではない。
【００３６】
前記ホース１３は、ビニール材等の合成樹脂を中空状に形成されており、該ホース１３の基端を圧縮給排気装置１４に接続すると共にその至端を前記膨縮袋１２に接続し、前記膨縮袋１２に圧縮給排気装置１４からの給排気を伝達してこれを膨縮させるための仲介をなすものである。
【００３７】
前記圧縮空気給排装置１４は、例えば、電動エアーコンプレッサ等の空気圧縮機構を内蔵した装置であり、前記ホース１３を介して上記膨縮袋１２へ圧縮空気を給排気させるためのものである。
【００３８】
前記圧縮空気給排装置１４は、前述したようにホース１３を介して膨縮袋１２に連通するよう構成されているが、該圧縮空気給排装置１４にロータリバルブ等の給排通路選択切替手段を設ける事で、該給排装置１４の給排気口からの給排気を施療者が選択できるようにする事もでき、これにより、各膨縮袋１２・１２の給排気順を任意に変化させるようにする事もできる。
【００３９】
また、前記のように給排通路選択切替手段を設ける場合には、前記給排気制御装置（図示せず）のロータリバルブ等の給排通路選択切替手段を制御する電子回路等の制御手段を内蔵させて構成する。
【００４０】
よって、上記した本発明の手揉機能付施療機１を使用するにあっては、施療者が椅子本体２の座部に着座して人体手部３を肘掛部２１上に載設し、圧縮空気給排装置１４に接続されるリモコンスイッチ等の外部電源２２を入力するだけで該電源２２からの電力供給により、人体手部３及び腕部の一側上面側から効率良く適宜の空圧施療を行なわせる事ができるのである。
【００４１】
【発明の効果】
よって、本発明の手揉機能付施療機は、肘幅方向外側に弧状形性された立上り壁を設けた肘掛部を両側に設けた椅子本体の上面適所に、人体手部を安定した状態に各々載脱自在で該人体手部に膨縮施療を付与し得る圧縮空気給排気手段を配設している為、施療者は着座状態で人体手部を肘掛部に載設して電源を入力するだけで、従来のマッサージ機では行い得ない人体手部及び腕部への適度で快適な空圧施療を一側上面側から効率良く行う事ができる。
【００４２】
また、本発明の手揉機能付施療機は、圧縮空気給排気手段を、両肘掛部の各立上り壁に配設される膨縮袋と、各膨縮袋に各々ホースを介して連通される圧縮空気給排装置とで構成している為、施療者は着座状態で人体手部を肘掛部に載設して電源を入力するだけで、立上り壁側の膨縮袋により、従来のマッサージ機では行い得ない人体手部及び腕部への一側上面側からの適度で快適な空圧施療を効率良く行う事ができる。
【００４３】
更に本発明の手揉機能付施療機は、前記圧縮空気給排気手段を、両肘掛部の弧状形成された各立上り壁に配設される膨縮袋及び肘幅方向他側に配設される膨縮袋と、両各膨縮袋に各々ホースを介して連通される圧縮空気給排装置とで構成している為、施療者は着座状態で人体手部を肘掛部に載設して電源を入力するだけで、人体手部や腕部を立上り壁側の膨縮袋と肘幅方向内側底部に配設される膨縮袋により外側上面側と内側下方との両側から挟持して、従来のマッサージ機では行なえない人体手部及び腕部への適度で快適な空圧施療・空圧挟持施療・空圧押上施療を両側から効率良く行なわせる事ができる。
【００４４】
更に、本発明の手揉機能付施療機は、両肘掛部に配設される膨縮袋が、二以上の膨縮袋を重合させた膨縮袋群に構成している為、膨縮袋群の各膨縮袋で順次相乗的に挟持して、従来のマッサージ機では行なえない人体手部及び腕部への強度で圧迫感のある空圧施療を効率良く行なわせる事ができる。
【００４５】
また、本発明の手揉機能付施療機は、前記両肘掛部に配設される膨縮袋の人体手部当接側に施療突起を配設している為、膨縮袋の人体手部当接側が膨張した場合にこの施療突起が該手部や腕部に当接し、これによる強度な空圧施療を適格に付与する事ができるようになる。
【００４６】
更に本発明の手揉機能付施療機は、前記両肘掛部上面を振動させるに振動部材を適所に配備させている為、施療者が膨縮袋の膨縮動作や振動部材の振動動作を任意に選択して、これらを同時或いは単独で作動させる事で、従来のマッサージ機では行なえない人体手部や腕部への振動部材による振動施療と膨縮袋による圧空施療や、これら両者による振動空圧施療を適宜に選択実施させる事ができる。
【００４７】
更に、本発明の手揉機能付施療機は、前記圧縮空気給排気手段の膨縮袋を、両肘掛部の上面適所に配設し、圧縮空気給排装置にロータリバルブ等の給排通路選択切替手段を設け、これを制御する電子回路等の制御手段を内蔵させる構成にして、これらを圧縮空気給排気装置で適宜に膨縮するよう給排機させる構成にできる為、該吸排装置の給排機口からの給排気を施療者が適宜に選択でき、各膨縮袋の給排気順を任意に変化させて施療者の好みの施療を選択使用できる。
【図面の簡単な説明】
【図１】  本発明の手揉機能付施療機の一実施形態を示す説明図である。
【図２】  本発明の手揉機能付施療機における圧縮空気給排機手段の膨縮袋が収縮した一実施形態を示す説明図である。
【図３】  本発明の手揉機能付施療機における圧縮空気給排気手段の膨縮袋が膨張した一実施形態を示す説明図である。
【図４】  本発明の手揉機能付施療機における圧縮空気給排気手段を備えた肘掛部の実施形態を示す説明図である。
【図５】  本発明の手揉機能付施療機における圧縮空気給排気手段を備えた肘掛部の実施形態を示す説明図である。
【図６】  本発明の手揉機能付施療機における圧縮空気給排気手段を備えた肘掛部の実施形態を示す説明図である。
【図７】  本発明の手揉機能付施療機における圧縮空気給排気手段を備えた肘掛部の実施形態を示す説明図である。
【図８】  本発明の手揉機能付施療機における圧縮空気給排気手段を備えた肘掛部の実施形態を示す説明図である。
【図９】  本発明の手揉機能付施療機における圧縮空気給排気手段を備えた肘掛部の実施形態を示す説明図である。
【図１０】  本発明の手揉機能付施療機の一実施形態を示す説明図である。
【図１１】  本発明の手揉機能付施療機の一実施形態を示す斜視図である。
【図１２】  本発明の手揉機能付施療機の一実施形態を示す使用状態図である。
【図１３】  本発明の手揉機能付施療機の一実施形態を示す使用状態図である。
【符号の説明】
１    手揉機能付施療機
１１    固定板
１２    膨縮袋（圧縮空気給排気手段）
１２ａ    施療突起
１３    ホース（圧縮空気給排気手段）
１４    圧縮空気給排装置（圧縮空気給排気手段）
１５    振動部材
２    椅子本体
２１    肘掛部
２１１    立上り壁
【図１】
0003806396.tif 000002
【図２】
0003806396.tif 000003
【図３】
0003806396.tif 000004
【図４】
0003806396.tif 000005
【図５】
0003806396.tif 000006
【図６】
0003806396.tif 000007
【図７】
0003806396.tif 000008
【図８】
0003806396.tif 000009
【図９】
0003806396.tif 000010
【図１０】
0003806396.tif 000011
【図１１】
0003806396.tif 000012
【図１２】
0003806396.tif 000013
【図１３】
0003806396.tif 000014